(57)【要約】      （修正有）【課題】金属製の加熱用プレートを鍋底にセットして加熱性の向上を図る電磁調理用容器において、加熱調理中に加熱用プレートがガタガタ上下動するのを防止する。【解決手段】鍋本体の平坦な底面２上に、金属製多孔質にして薄板形状の加熱用プレート３を着脱自在に載置セットする電磁調理用容器において、加熱用プレート３に、概ね３．０粍直径にして、配列ピッチが概ね１３粍の小孔群を全面に密に配設設定した構造が特徴である。【選択図】図１
0003123716.tif 000002
【実用新案登録請求の範囲】
【請求項１】
鍋本体の平坦な底面上に、金属製多孔質にして薄板形状の加熱用プレートを着脱自在に載置セットする電磁調理用容器において、前記加熱用プレートに、概ね３．０粍直径にして、配列ピッチが概ね１３粍の小孔群を全面に密に配設設定した構造を特徴とする電磁調理用容器。
【請求項２】
鍋本体の平坦な底面上に、金属製多孔質にして薄板形状の加熱用プレートを着脱自在に載置セットする電磁調理用容器において、前記加熱用プレートの上面に、陶磁製の多孔質薄板形状にして前記加熱用プレートと概ね同一外径の押え板を、着脱自在に重合セットする構造を特徴とする電磁調理用容器。
【考案の詳細な説明】
【技術分野】
【０００１】
本考案は、炊飯したり一般飲食物を電磁加熱調理するのに使用する電磁調理用容器に関するものである。
【背景技術】
【０００２】
電磁調理用容器は多数の公知例があり、鍋本体の平坦な底面上に金属製の加熱用プレートを載置セットする構造にして特許文献１の公知例がある。
【０００３】
そして、この特許文献の公知例のものは（図３参照）炊飯すべき米・水や野菜・魚・食肉等の加熱調理物を必要な水・液汁を加えて加熱調理する鍋本体の内側の平坦形状の鍋本体の底面２上に、多孔質平板形状の金属製の加熱用プレート３を載置セットする構造を特徴としている。
【０００４】
【特許文献１】特許公開２００３−２５０６９８公報
【特許文献２】特許公開２００５−２７９２４１公報
【考案の開示】
【考案が解決しようとする課題】
【０００５】
以上の背景技術のものは、加熱によって鍋本体内の水・液汁等の流動性加熱物が上下流動力を生ずると、加熱用プレート３も鍋底上面でガタガタ上下揺動反復して激しい騒音を発するので、それを防止するために加熱用プレート３を鍋本体２に着脱自在に係止固定セットする係止手段が採られている。従って、加熱調理に際して加熱用プレート３を鍋本体へ係止セットしたり、係止外しする面倒な作業が必要になる。
【０００６】
本考案は、以上の背景技術の難点を解消し、加熱用プレートを鍋本体へフリー状態でセットしておいても、ガタガタ音が生じない構造の電磁調理用容器を提供するものである。
【課題を解決するための手段】
【０００７】
以上の目的を達成する本考案の電磁調理用容器は「鍋本体の平坦な底面上に、金属製多孔質にして薄板形状の加熱用プレートを着脱自在に載置セットする電磁調理用容器」において、
【０００８】
「前記加熱用プレートに、概ね３．０粍直径にして、配列ピッチが概ね１３粍の小孔群を全面に密に配設設定した構造」から成る第１考案の電磁調理用容器と、
【０００９】
「前記加熱用プレートの上面に、陶磁製の多孔質薄板形状にして前記加熱調理板と概ね同一外径の押え板を、着脱自在に重合セットする構造」から成る第２考案の電磁調理用容器に成っている。
【００１０】
即ち、前記構成の第１考案の加熱用プレートは小孔配設を前記の配設形態にすることによって、加熱調理中の加熱調理液の上下流動・上下揺動を全面一様にして効果的に吸収緩和させて、鍋底にフリー状態でセットして電磁調理しても、加熱調理中のガタガタ揺動を生じない構造を特徴とするものである。
【考案の効果】
【００１１】
前記第１考案の加熱用プレートは、前記配設形態の小孔群を全面に配設した構造から成るので、加熱時に生ずる液物等の上下流動を該小孔群が有効に全面吸収作用する。かくして、鍋本体にフリー状態でセットしておいても、従来物に生じた加熱調理時の有害な「ガタガタ」音を有効に防止する。
【００１２】
そして、前記構成の第２考案のものは、加熱用プレートの上に多孔質円板状の押え板を載置セットするので、加熱プレートによる加熱機能を良好に維持した基において、加熱調理による鍋内加熱物の流動力が生じても、鍋本体への係止手段が不存在でも加熱用プレートのガタガタ振動を有効に防止することができる。
【考案を実施するための最良の形態】
【００１３】
以下、好ましい実施例を説明する。
【実施例】
【００１４】
まず、図１を参照して第１考案１実施例を説明する。即ち、水・液汁等の加熱調理物を入れる鍋本体の平坦な底面２上に加熱用プレート３をセットして、その上に水・液汁等の加熱調理物を入れて加熱調理する電磁調理用容器１において、この実施例の加熱用プレート３は、ステンレス製円径薄板にして上下に貫通する小孔群４を全面に密に配設し、この小孔群４は概ね３粍直径にして「隣接ピッチ＝約１３粍」に一様にして密に配設されている。なお、図中の７は加熱用プレート３の握み突起である。
【００１５】
以上の図１実施例の電磁調理用容器１は、加熱調理中に底面２の上面で上下流動・上下揺動する水・液汁等を小孔４群を通して加熱用プレート３の上方へ全面一様に貫流させて上下流動抵抗を有効に吸収緩和作用する。かくして、鍋本体への係止手段が不存在でも従来物に生じたガタガタ異音の発生は極めて有効に防止され、前記作用を奏することができる。
【００１６】
続いて、図２を参照して第２考案１実施例の電磁調理用容器１を説明する。即ち、多孔質薄板形状の加熱用プレート３を鍋本体の底面２に載置セットする電子レンジ用調理鍋１において、この実施例のものは加熱用プレート３の上に着脱自在に載置セットする陶磁製円板形状の押え板５が設けてある。
【００１７】
そして、この押え板５は鍋内調理物の水・液汁や小粒形状の被調理物を上方に貫通流させる上下貫通孔６が多数個設定されている。なお、上下貫通孔６は５〜１５粍サイズの孔にして多数個設定され、この実施例のものは中心近傍に約１５粍直径の大サイズ孔２個と、約５粍〜６粍直径の小孔が全面に多数個設定され、板厚約２〜７粍・直径約１２０〜２３０粍にして、応分の押え重量を有している。
【００１８】
以上の押え板５を加熱用プレート３の上に単に重合セットしておくと、加熱調理中の加熱用プレート３の上下揺動・振動が押え板５によって有効に押え付け防止され、加熱用プレート３の鍋本体への係止手段が不存在でも、有害なガタガタ音発生は完全防止される。
【００１９】
なお、以上の実施例の押え板５は、実施例のように加熱用プレート３と重合セットして使用したり、加熱用プレート３のみの単独使用しても良く、さらにガス加熱等による通常の加熱調理に用いても良い。
【００２０】
以上の説明のとおり本考案の電磁調理用容器は、加熱用プレート３の鍋本体への係止手段が無用にして、加熱用プレート３をフリーセットするので良く、電磁調理用容器の使用性を特段に向上する有用な効果がある。
【図面の簡単な説明】
【００２１】
【図１】第１考案１実施例の電磁調理用容器を示し、（Ａ）はその全体側面断面図、（Ｂ）はその加熱用プレートの平面図
【図２】第２考案１実施例の電磁調理用容器を示し、（Ａ）はその全体側面断面図、（Ｂ）は押え板の平面図、（Ｃ）は押え板の側面断面図
【図３】従来の電磁調理用容器の構造説明図
【符号の説明】
【００２２】
１  電磁調理用容器
２  鍋本体の底面
３  加熱用プレート
４  小孔群
５  押え板
６  押え板の上下貫通孔
８  脚用小突起
１０  従来構造の電磁調理用容器
【図１】
0003123716.tif 000003
【図２】
0003123716.tif 000004
【図３】
0003123716.tif 000005